(57)【要約】【課題】軽量な植付部フレームを備えているとともに、植付部の組立作業性が良い乗用型移動農機を提供する。【解決手段】植付部の構成物を取付けてなる植付部フレーム２０は、引抜き部材により角筒形状に構成されており、その内周には機体前後方向に亘る一対の補強板部２２ａ，２２ｂがその長手方向に亘って連続して形成されている。これら一対の補強板部２２ａ，２２ｂは、上下に所定の間隙Ａを有して形成されており、間隙Ａは植付部フレーム２０を前後に貫通する前後通しボルト３２の案内部となっている。支持ステー２４は、植付部フレーム２０を挟んで対向して配置されたプランターケース２３と通しボルト３５によりフレーム本体２１に共締めされて固定される。【選択図】図３
2010220550.tif 000002
【特許請求の範囲】
【請求項１】
機体幅方向に延びた植付部フレームに、構成物を取付けてなる植付部を備えた乗用型移動農機において、
前記植付部フレームを角筒形状とし、
該植付部フレームの内周に機体前後方向に亘る上下二枚の補強板部を長手方向に連続して形成すると共に、
これら補強板部の間を、前記構成物を取付ける前後通しボルトの案内部とした、
ことを特徴とする乗用型移動農機。
【発明の詳細な説明】
【技術分野】
【０００１】
本発明は、田植え機などの植付部を備えた乗用型移動農機に係り、詳しくは植付け部の構成物を取付ける植付部フレームの構造に関する。
【背景技術】
【０００２】
従来、角筒形状のフレームの内周部に内パイプを形成すると共に、その外周に各種部材を組付けるための固定金具を係止する取付溝を形成した二重パイプ構造の植付部フレームを備えた移植機が案出されている（特許文献１参照）。
【先行技術文献】
【特許文献】
【０００３】
【特許文献１】特開平１０−１４３３６号公報
【発明の概要】
【発明が解決しようとする課題】
【０００４】
上記特許文献１記載の植付部フレームは取付け溝を利用して内パイプを形成していたため、２重パイプ構造のフレームとしては比較的軽く強度的にも優れているが、植付部が水田などの軟弱地で作業を行う観点から更なる軽量化が求められていると共に、植付部の組立性の観点からも重量物である植付部フレームの軽量化が求められている。
【０００５】
また、苗載せ台を支持するステーやプランターケースをそれぞれ個別に取付けるため、植付部の組立作業の作業性を低下させる要因となってしまっていた。
【０００６】
そこで本発明は、軽量かつ、組立作業性に優れた植付部フレームを備え、以って上記課題を解決した乗用型移動農機を提供することを目的とする。
【課題を解決するための手段】
【０００７】
請求項１に係る本発明は、機体幅方向に延びた植付部フレーム（２０）に、構成物（２３，２４，１７）を取付けてなる植付部（７）を備えた乗用型移動農機（１）において、
前記植付部フレーム（２０）を角筒形状とし、
該植付部フレーム（２０）の内周に機体前後方向に亘る上下二枚の補強板部（２２ａ、２２ｂ）を長手方向に連続して形成すると共に、
これら補強板部（２２ａ、２２ｂ）の間を、前記構成物を取付ける前後通しボルト（３２）の案内部（Ａ）とした、ことを特徴とする乗用型移動農機（１）にある。
【０００８】
なお、上記括弧内の符号等は、図面を参照するためのものであるが、これは発明の理解を容易にするための便宜的なものであり、特許請求の範囲の構成に何ら影響を及ぼすものではない。
【発明の効果】
【０００９】
請求項１に係る本発明によると、角筒形状の植付部フレームの内周に機体前後方向に亘る上下二枚の補強板部を長手方向に連続して形成したことにより、必要強度を保ちつつ該植付部フレームを軽量化することができ、組立作業時などの取扱いを容易にすることができる。また、補強板部の間を、前記構成物を取付ける前後通しボルトの案内部とし、通しボルトによって複数の部材を植付部フレームに共締めして取付けるため、それぞれの部材を別々に取付けるのに対して組立作業性が向上する。
【図面の簡単な説明】
【００１０】
【図１】乗用型移動農機の側面図である。
【図２】図１における植付部フレームの前面を示す斜視図である。
【図３】プランターケース取付部の拡大側面図である。
【図４】ローリング軸取付部の拡大側面図である。
【発明を実施するための形態】
【００１１】
［移植機の全体構成］
以下、図面に基づき本発明の実施の形態を説明する。なお、説明中の方向は機体を基準として考え、機体進行方向を前方、機体後進方向を後方、機体幅方向を左右方向、機体上下方向を上方又は下方という。図１に示すように、乗用型移動農機１は、前輪２及び後輪３に支持された機体５と、該機体５の後部に昇降機構６を介して昇降自在に接続された植付部７とを有している。前記機体５の前部には、ボンネット９に覆われたエンジン（図示せず）が搭載されていると共に、該エンジンの後方の中央部には、座席１０、ハンドル１１および操作レバー類が配置された運転操作部１２が設けられている。
【００１２】
上記昇降機構６は、リンク機構１３と油圧シリンダ１５を備えており、リンク機構１３を構成するアッパー及びロアリンク１６は、それぞれその前端部が前記機体５の後部に揺動自在に支持されている。また、油圧シリンダ１５は、前記機体５の後部と前記リンク１６の後部にそれぞれ揺動自在に接続されており、伸縮することにより上記リンク１６の後部を上下方向に揺動させる。
【００１３】
図１及び図２に示すように、植付部７は、リンク機構１３に着脱自在に装着されるホルダフレーム１７と、該ホルダフレーム１７にローリング支軸１９を介して左右傾斜自在に支持された植付部フレーム２０と、該植付部フレーム２０から立ち上がる支持ステー２４と、該支持ステー２４に機体幅方向に移動自在に支持された苗載せ台２２と、前記植付部フレーム２０に固定された複数のプランターケース２３と、該プランターケース２３の後端部に回転自在に支持され、苗載せ台２２に載置されたマット状の苗から苗を掻き取って圃場に植付ける植付け装置２８と、プランターケース２３の下面に揺動自在に支持され、圃場面を滑走するフロート２６等を備えている。
【００１４】
［植付け部フレームの構成］
次に、図２乃至４に基づいて本発明の要部である植付部フレーム２０の構成について説明する。植付部フレーム２０は植付部７の幅に応じて切断された角筒形状の引抜き材であり、該植付部フレーム２０の外周面（上下及び前後方向の壁面）を形成するフレーム本体２１の内周には、上下方向の中央部に前後方向の壁面２１ａ，２１ｂに接続する形で所定の間隙Ａを備えて一対の補強板部２２ａ、２２ｂが該フレーム本体２１の長手方向に連続して形成されている。
【００１５】
また、上記フレーム本体２１の内周において、これら前後方向の壁面（前面２１ａ，後面２１ｂ）と上面２１ｃとが接続する上方側の角部及び下面２１ｄの中央部には、ねじ穴形成用のリブ２３ａ、２３ｂ、２３ｃが設けられており、それぞれ所要の位置にボルト締結用のねじ穴（図示せず）が形成されていると共に、フレーム本体２１の補強部材となっている。
【００１６】
更に、上記ねじ穴形成用のリブ２３ａ、２３ｂ、２３ｃの内、植付部フレーム２０の上部後方側の角部に設けられたリブ２３ｂの前面には、フレーム本体２１の上面２１ｃと上方側の補強板部２２ａとを接続するように上下方向に延びた中間壁部２５が該リブ２３ｂと一体に形成されており、補強板２２ａを補強していると共に植付部フレーム２０の強度及び捩れ剛性を向上させている。なお、植付部フレーム２０は引抜き材のため、上述したリブ２３ａ、２３ｂ、２３ｃ及び中間壁部２５は当然に、フレーム本体２１の長手方向に連続して形成されていると共に、中間壁部２５とフレーム本体２１の後面２１ｂと間には補強板部２２ａ及びリブ２３ｂに囲まれた空間部２６が形成されている。
【００１７】
図２に示すように、上記植付部フレーム２０には、機体後方側から３つのプランターケース２３がブラケット２７を介して所定間隔有して取付けられており、Ｌ字状に形成された該ブラケット２７の取付け部はフレーム本体２１の下面に、ボルト２９がリブ２３ｃに形成されたネジ穴に螺合されることによって取付けられている。
【００１８】
また、これら３つのプランターケース２３の内、機体外側のプランターケース２３に対応する位置には、苗載せ台２２を支持する支持ステー２４がブラケット３０を介して機体前方側から取付けられており、Ｌ字状に形成された該ブラケット３０の取付け部はフレーム本体２１の上面に、ボルト３１がリブ２３ｂに形成されたネジ穴に螺合されることによって取付けられている。
【００１９】
更に、これら対向して配置されたプランターケース２３及び支持ステー２４のブラケット２７，３０は、フレーム本体２１の前面２１ａ及び後面２１ｂを貫通する前後通しボルト３２によって友締されて固定されており、該前後通しボルト３２はその直径Ｂより若干大きく形成された一対の補強板部２２ａ、２２ｂ間の間隙Ａに案内されている。
【００２０】
一方、植付部フレーム２０の中央に位置するプランターケース２３と対応する位置には、ホルダフレーム１７が機体前方側からボルト３５によってフレーム本体２１に取付けられており、該ボルト３５はリブ２３ａに形成されたネジ穴に螺合している。また、これら対向したホルダフレーム１７及びプランターケース２３のブラケット２７は、案内部としての補強板部２２ａ、２２ｂ間の間隙Ａを通って、植付部フレーム２０の前後に貫通した前後通しボルト３２によって友締されて固定されている。
【００２１】
作業者は、上記プランターケース２３、支持ステー２４、ホルダフレーム１７などの植付部７の構成物を、植付部フレーム２０に取付けるに際し、これら構成物２３，２５，１７をフレーム本体２１の所要の位置に当て、補強板部２２ａ、２２ｂ間の間隙Ａを介して前後通しボルト３２を、支持ステー２４及びプランターケース２３のブラケット３０，２７間、ホルダフレーム１７及びプランターケース２３のブラケット２７間に通す。
【００２２】
そして、これらプランターケース２３、支持ステー２４、ホルダフレーム１７をフレーム本体２１に共締めするようにナット３６を仮締めする。この状態で、ボルト３１，３２，３５，３６，３７を、リブ２３ａ、２３ｂ、２３ｃに形成された前記ねじ穴に装着して締め付けたのち、前記前後通しボルト３２に装着された前記ナット３６を本締めする。
【００２３】
上記のように植付部フレーム２０を角筒形状とし、その内周に機体前後方向に亘る一対の補強板部２２ａ、２２ｂを設けたことによって、必要な強度を保ちつつ軽量化することができる。また、これら一対の補強板部２２ａ、２２ｂの間の間隙Ａによって、前後通しボルト３１を上下方向に案内することによって、該前後通しボルト３５を容易にフレーム本体２１の内部を通すことができ、作業性が向上する。
【００２４】
更に、植付部フレーム２０が軽量化したことと、前後通しボルト３２によって構成物２３，２４，１７を共締めして作業工程を簡素にしたこととが相俟って、組立作業の作業性を向上した。
【符号の説明】
【００２５】
１      乗用型移動農機
７      植付部
１７    ホルダフレーム（構成物）
２０    植付部フレーム
２２ａ  補強板部
２２ｂ  補強板部
２３  プランターケース（構成物）
２４  支持ステー（構成物）
３２  前後通しボルト
Ａ    間隙（案内部）
【図１】
2010220550.tif 000003
【図２】
2010220550.tif 000004
【図３】
2010220550.tif 000005
【図４】
2010220550.tif 000006